(57)【特許請求の範囲】
【請求項１】
計量対象のコンクリート材料を収容する容器（１０）より上方で水平な姿勢とされて計量器本体（１２）を吊り下げる昇降腕（１４）と、
計量器本体（１２）から垂下した計量腕（１６）の先部分に取り付けられる円錐台状の容器吊下子（１８）と、
計量腕（１６）の挿通穴（２０）と複数の姿勢維持穴（２２−１，２２−２）が形成されて容器吊下子（１８）の嵌入口（２４）が下面に設けられた容器取手（２６）と、
姿勢維持穴（２２）へ挿通されて下側の基部が固定された鉛直姿勢の案内子（２８−１，２８−２）と、
進退軸（３０）で昇降腕（１４）を昇降駆動するアクチュエータ（３２）と、昇降腕（１４）から垂下し昇降腕（１４）の下降で垂下先端が容器（１０）を押圧する容器固定腕（３４）と、
を有する、
ことを特徴としたコンクリート材料計量器の固定装置。
【発明の詳細な説明】
【０００１】
【発明の属する技術分野】
本発明は、セメント，骨材（砂や砂利），混練水などのコンクリート材料に用いられる計量器の固定装置に関するものである。
【０００２】
【従来の技術】
道路，架橋，空港などのコンクリート補修には短時間で工事を完了させて直ちに利用を再開させることが必要とされ、このため、速硬性のセメントが使用される。
ところが、短時間でコンクリートが硬化することから、混練したコンクリートを打設現場へ運搬する一般の方法を採用できない。
【０００３】
そこで、生コンクリートの製造設備が搭載された車両を打設現場へ移動させてコンクリート材料を混練する方法が採られている。
この種の車両の搭載設備にはセメント，骨材，混練水などのコンクリート材料を収容する容器，容器内コンクリート材料の重量を測定する計量器が含まれている。
【０００４】
コンクリート材料の容器は、振動による位置ズレが生じないよう、車両移動中に固定しなければならない。
また計量器は、衝撃に弱いことから、車両移動中にコンクリート材料の容器から切り離したり車両から取り外すことが必要となる。
そこで従来においては、コンクリート材料の容器を固定する作業，計量器を容器から切り離したり車両から取り外す作業が人手で行われていた。
【０００５】
【発明が解決しようとする課題】
生コンクリートの製造設備が搭載された車両上には空きスペースがほとんどなく、このため、コンクリート材料の容器を固定し、また、計量器を容器から切り離したり車両から取り外す作業性が低く、その作業に時間，労力が費やされていた。
【０００６】
本発明は上記の事情に鑑みてなされたものであり、その目的は、コンクリート材料の容器を固定する作業，計量器を容器から切り離す作業が著しく容易となる装置を提供することにある。
【０００７】
【課題を解決するための手段】
図１において、昇降腕１４は計量対象のコンクリート材料を収容する容器１０より上方の位置で水平な姿勢とされている。この昇降腕１４には計量器本体１２が吊り下げられる。
容器吊下子１８は円錐台状とされており、計量器本体１２から垂下した計量腕１６の先部分に取り付けられる。
【０００８】
容器取手２６には計量腕１６の挿通穴２０と複数の姿勢維持穴２２−１，２２−２が形成されており、また、容器吊下子１８の嵌入口２４が下面に設けられている。
案内子２８−１，２８−２は鉛直な姿勢とされており、姿勢維持穴２２−１，２２−２へ挿通されて下側の基部が固定される。
【０００９】
アクチュエータ３２は進退軸３０を備えており、その進退軸３０で昇降腕１４を昇降駆動する。
そして容器固定腕３４は昇降腕１４から垂下し、昇降腕１４の下降で垂下先端が容器１０を押圧する。
（作用）
車両移動時には昇降腕１４がアクチュエータ３２の進退軸３０で駆動されて下降しており、容器固定腕３４が容器１０を上から押さえて固定する。
【００１０】
また容器吊下子１８は下方へ移動して嵌入口２４から抜け出ており、計量器本体１２は容器１０から切り離されている。
車両がコンクリート打設現場へ到着してその搭載設備の運転を開始する際には、アクチュエータ３２の進退軸３０で昇降腕１４が引き上げられる。
これにより容器固定腕３４が上方へ退避してまず容器１０の固定が解除され、次いで容器吊下子１８が容器取手２６の嵌入口２４内へ進入してその容器吊下子１８を介し容器１０が計量器本体１２に吊り下げられる。
【００１１】
【発明の実施の形態】
図１において、符号１０は計量対象のコンクリート材料が収容される容器を、符号１２は計量器本体（ロードセル検出器）を各々示す。
符号１４は昇降腕を示し、昇降腕１４は容器１０より上方の位置で水平な姿勢とされる。計量器本体１２はこの昇降腕１４に吊り下げられる。
【００１２】
符号１６は計量腕を、符号１８は容器吊下子１８を各々示し、計量腕１６は計量器本体１２から垂下し、容器吊下子１８は円錐台状とされて計量腕１６の先部分に取り付けられる。
符号２０は挿通穴を、符号２２−１，２２−２は姿勢維持穴を各々示し、それらは容器取手２６に形成される。計量腕１６は挿通穴２０を貫通している。
【００１３】
また、符号２４は嵌入口２４を示す。嵌入口２４は容器取手２６の下面に設けられ、これへ容器吊下子１８が進入する。
符号２８−１，２８−２は案内子を示しており、案内子２８−１，２８−２は中実の円柱で鉛直な姿勢とされ、姿勢維持穴２２−１，２２−２へ挿通されて下側の基部が固定される。
【００１４】
なお、姿勢維持穴２２−１，２２−２は挿通穴２０及び嵌入口２４（すり鉢状）の両側に設けられている。
符号３０は進退軸を、符号３２はアクチュエータを各々示し、アクチュエータ３２は進退軸３０を伸張，縮退させて昇降腕１４を昇降駆動する。
アクチュエータ３２は進退軸３０が上方へ突き出た姿勢とされて昇降腕１４の下側に配置される。
【００１５】
コンクリート材料混連の管理者は車両上の操作室から全アクチュエータ３２を特定ボタンの押下で遠隔操作する。
符号３４は容器固定腕を示し、容器固定腕３４は昇降腕１４から垂下し、昇降腕１４の下降で垂下先端が容器１０の上面（例えば、縁の部分）を押圧する。
符号３６は台座フレームを示し、その下側の台座上に案内子２８−１，２８−２が立設され、上側の台座上にアクチュエータ３２が載置される。
【００１６】
符号３８はブラケットを示す。ブラケット３８は縦断面コ字状で、容器１０の側壁に設けられ、容器１０は容器取手２６，容器吊下子１８，計量腕１６を介し計量器本体１２に吊り下げられる。
図１は車両走行時の状態を示し、進退軸３０が縮退しており、昇降腕１４が下降している。
【００１７】
容器固定腕３４は容器１０の上面を押圧してこれを固定しており、したがって、車両走行中の振動による位置ズレが容器１０に生ずることはない。
また、容器吊下子１８は下方へ移動して容器吊下子１８の嵌入口２４から抜け出ている。
このため、計量器本体１２は容器１０より切り離されて無負荷となり、衝撃（上下方向）から保護される。
【００１８】
車両がコンクリート打設現場へ到着すると、コンクリート材料混連の管理者は車両上の操作室へ入り、この操作室から各容器１０のアクチュエータ３２を遠隔操作し、進退軸３０の伸張動作を開始させる。
図２はその際の状態を示し、進退軸３０の伸張開始で昇降腕１４が上方へ移動して最初に容器固定腕３４の先端が容器１０の上面から離れ、容器１０の固定状態が解除される。
【００１９】
さらに昇降腕１４が上方へ移動すると、嵌入口２４がすり鉢状とされており、容器吊下子１８が円錐台状とされているので、容器吊下子１８は嵌入口２４内へ進入して填り込む。
そして昇降腕１４がより上方へ移動すると、案内子２８−１，２８−２で案内されながら容器取手２６が容器吊下子１８によって引き上げられ、容器１０が徐々に計量器本体１２の重量負荷となる。
【００２０】
図３は計量器本体１２へ容器１０が完全に吊り下がってコンクリート材料の計量が可能となったときの状態を示しており、この状態となってから車両上設備の運転が開始される。アクチュエータ３２は自動停止する。
コンクリート打設の作業が完了した場合、コンクリート材料混連の管理者は車両上の操作室から全アクチュエータ３２を遠隔操作し、昇降腕１４を引き下げる。
【００２１】
容器１０（ブラケット３８）は案内子２８−１，２８−２で案内されながら下降し、容器取手２６が台座フレーム３６における下側の台座に接する（図２参照）。
この時点から計量器本体１２の重量負荷が減少を開始し、さらに昇降腕１４の下降が継続すると、容器吊下子１８が容器取手２６の嵌入口２４から完全に外れて計量器本体１２が無負荷の状態（計量器本体１２の破損が回避される状態）となる。
【００２２】
そして容器固定腕３４の下側先端が容器１０の上面へ接し、これを緊圧してロックする状態（容器１０は車両走行にもかかわらず揺れることがなく、位置ズレしない状態）となったときに、アクチュエータ３２が自動停止する（図１参照：走行可能）。
以上のように、全計量容器１０の固定と固定解除，各計量器本体１２の容器切り離しと容器吊り下げが車上操作室より集中して自動的に行われるので、それらの作業がきわめて容易なものとなる。
【００２３】
このため、コンクリート打設の工事を現場へ到着したときからただちに開始できる。また打設工事が完了したときにはその現場から即座に撤収することが可能となる。
【００２４】
【発明の効果】
本発明によれば、コンクリート材料の計量容器を固定したりその固定状態を解除する作業，計量器をその計量容器から切り離したり接続する作業を自動化してこれに要する時間及び労力をほぼ皆無とすることが可能となる。
【図面の簡単な説明】
【図１】実施形態の構成説明図である。
【図２】容器固定解除時の状態説明図である。
【図３】計量器使用開始時の状態説明図である。
【符号の説明】
１０    容器
１２    計量器本体
１４    昇降腕
１６    計量腕
１８    容器吊下子
２０    挿通穴
２２−１，２２−２    姿勢維持穴
２４    嵌入口
２６    容器取手
２８−１，２８−２    案内子
３０    進退軸
３２    アクチュエータ
３４    容器固定腕
３６    台座フレーム
３８    ブラケット
【図１】
0003652468.tif 000002
【図２】
0003652468.tif 000003
【図３】
0003652468.tif 000004